(57)【要約】      （修正有）【課題】灯具を固定していても照射方向を変更できる照明装置を提供する。【解決手段】照明装置１０は、灯具１２および灯具に支持されるＬＥＤモジュール１４を含み、支持部が灯具の側面に設けられ、ＬＥＤモジュールにＬ字状アングル３４がその一方辺部３４ａで一体化される。支持部とＬ字状アングルの他方辺部３４ｂがボルト３８およびナットで共締めされる。ボルトを緩めると支持部とＬ字状アングルの他方辺部との相対角度を変更でき、角度を変更した状態でボルトを再度締め付ければ、その角度位置でＬＥＤモジュールを支持できる。【選択図】図１
0003218877.tif 000002
【実用新案登録請求の範囲】
【請求項１】
設置場所に固定的に取り付けられる灯具、
角度変更機構、および
前記角度変更機構を介して前記灯具に支持される光源を備え、
前記角度変更機構によって前記光源の前記灯具に対する取付け角度を変更したとき前記光源の照射方向が変更される、照明装置。
【請求項２】
前記灯具に設けられる支持部と前記光源と一体的に設けられるアングルによって前記光源が前記灯具に支持され、前記角度変更機構は前記支持部と前記アングルを共締めするボルトおよびナットを含む、請求項１記載の照明装置。
【請求項３】
前記光源は、ＬＥＤモジュールと前記ＬＥＤモジュールからの発熱を放散するヒートシンクを含み、前記ヒートシンク間隔を隔てて形成された複数のフィンを有し、前記光源は、隣接している前記フィンの自由端を一体化した取付け部を介して前記アングルに取り付けられる、請求項１または２記載の照明装置。
【考案の詳細な説明】
【技術分野】
【０００１】
この考案は、照明装置に関し、特にたとえば、ＬＥＤを光源として用い、工場などの天井に固定的に設置されるような、照明装置に関する。
【背景技術】
【０００２】
たとえば特許文献１には、工場のような比較的広い空間に使用される、ＬＥＤを光源とする照明装置が開示されている。特に工場においては、しばしばライン配置などのレイアウトを変更する必要があるが、このような場合、特許文献１の照明装置では、たとえば、内リフレクタを移動して照明範囲内の光の照度分布を調整することによって対応することができる。
【先行技術文献】
【特許文献】
【０００３】
【特許文献１】特開２０１２‐８４４５７号公報［F21S 8/04 F21Y 101/102］
【考案の概要】
【考案が解決しようとする課題】
【０００４】
しかしながら、変更が大幅な場合には、上述の照度分布の調整だけでは十分対応することができないことも考えられる。
【０００５】
それゆえに、この考案の主たる目的は、新規な、照明装置を提供することである。
【０００６】
この考案の他の目的は、照射方向を容易に変更することができる、照明装置を提供することである。
【課題を解決するための手段】
【０００７】
この考案は、上記の課題を解決するために、以下の構成を採用した。なお、括弧内の参照符号および補足説明等は、この考案の理解を助けるために記述する実施形態との対応関係を示したものであって、この考案を何ら限定するものではない。
【０００８】
第１の考案は、設置場所に固定的に取り付けられる灯具、角度変更機構、および角度変更機構を介して灯具に支持される光源を備え、角度変更機構によって光源の灯具に対する取付け角度を変更したとき光源の照射方向が変更される、照明装置である。
【０００９】
第１の考案では、照明装置（１０：実施例において相当する部分を例示する参照符号。以下同様。）は、設置場所に固定的に取り付けられる灯具（１２）を含み、光源（１４）が角度変更機構（３８、４０）を介して灯具（１２）に支持される。したがって、角度変更機構によって光源の灯具に対する取付け角度を変更したとき光源の照射方向が変更される。
【００１０】
第１の考案によれば、灯具を固定的に設置していても、光源の灯具に対する相対角度を変更できるので、光源による照射方向を容易に変更することができる。
【００１１】
第２の考案は、第１の考案に従属し、灯具に設けられる支持部と光源と一体的に設けられるアングルによって光源が灯具に支持され、角度変更機構は支持部とアングルを共締めするボルトおよびナットを含む、照明装置である。
【００１２】
第２の考案では、灯具（１２）に設けられる支持部（２６）と光源（１４）と一体的に設けられるアングル（３４、３４ｂ）によって光源が灯具に支持され、角度変更機構は支持部とアングルを共締めするボルト（３８）およびナット（４０）を含む、照明装置である。
【００１３】
第２の考案によれば、ボルトおよびナットを用いるので、光源の照射方向を確実に維持することができる。
【００１４】
第３の考案は、第１の考案または第２の考案に従属し、光源は、ＬＥＤモジュールとＬＥＤモジュールからの発熱を放散するヒートシンクを含み、ヒートシンクは間隔を隔てて形成される複数のフィンを有し、光源は、隣接するフィンの自由端を一体化した連結部を介してアングルに取り付けられる、照明装置である。
【００１５】
第３の考案によれば、光源をアングルに取り付けるための手段をヒートシンクで兼用しているので、照明器具を製造する際の部品点数の削減を図ることができる。
【考案の効果】
【００１６】
この考案によれば、角度調整機構を介して光源を灯具に支持しているため、灯具を固定的に設置したとしても、光源の照射方向を容易に変更することができる。
【００１７】
この考案の上述の目的、その他の目的、特徴および利点は、図面を参照して行う以下の実施例の詳細な説明から一層明らかとなろう。
【図面の簡単な説明】
【００１８】
【図１】図１はこの考案の一実施例を示す斜視図である。
【図２】図２は図１実施例における灯具へのＬＥＤモジュールの取付け構造の一例を示す概略図である。
【図３】図３は図１実施例におけるＬＥＤモジュールの角度変更の様子を示す概略図である。
【考案を実施するための形態】
【００１９】
図１を参照して、この考案の一実施例の照明装置１０は、灯具１２および灯具１２に取り付けられた光源としてのＬＥＤモジュール１４を含む。灯具１２は、全体として、鉄のような金属板を加工し、塗装を施して作られる。灯具１２はこの照明装置１０をたとえば工場の天井や梁などの高所に固定的に取り付けるためのもので、この実施例では、たとえば鉄板によって、平面視長方形の枠体として形成される。
【００２０】
灯具１２は、平面長方形の底板１６の端縁から立ち上がり、対向する２つの短辺を形成する側板１８および底板１６の端縁から立ち上がり、側板１８を挟んで対向する２つの長辺を形成する２つの側板２０を有し、これらの側板１８および２０は隣接する両端を互いにスポット溶接等で固定される。つまり、灯具１２は有底開口の箱状に形成される。
【００２１】
それぞれの側板１８および２０の上端は、ほぼ直角に外方に折り曲げられ、取付け板１８ａおよび２０ａとして形成される。これらの取付け板１８ａおよび２０ａにはそれぞれ適宜数の透孔１８ｂおよび２０ｂが開けられていて、この透孔１８ｂおよび２０ｂにボルト（図示せず）を通して灯具１２を、たとえば工場の天井や梁などに固定的に取り付ける。
【００２２】
なお、灯具１２の底板１６上に固定されるのは電源回路２１などである。電源回路２１は、供給される交流電圧を所定の直流電圧に変換して、ＬＥＤモジュール１４のＬＥＤアレイ２８の各ＬＥＤ（図示せず）に印加する。
【００２３】
長辺の側板２０には、その下部外面に、横長の「Ｕ」字状の支持アングル２２が、たとえば溶接などによって、固着される。支持アングル２２は側板２０の外面に固着される平板部２４（図２）およびこの平板部２４の両端から立ち上がる支持部２６（図２）を有し、支持アングル２２は、その支持部２６の先端が外方に向くように、側板２０に固着される。
【００２４】
各支持部２６は、特に図２から明らかなように、尖った先端部２６ａを有する。支持部２６には透孔（図では現れていない）が形成される。後述のように、この透孔を利用して、ＬＥＤモジュール１４が取付けられる。
【００２５】
図１に示すように、ＬＥＤモジュール１４は、その前面に、光源となる多数のＬＥＤ素子（図示せず）を配列したＬＥＤアレイ２８と、そのＬＥＤアレイ２８に熱結合して各ＬＥＤ素子の発熱を吸収して放散するヒートシンク３０を含む。
【００２６】
ヒートシンク３０の後面には多数の放熱フィン３０ａが、ＬＥＤモジュール１４の長手方向（側板２０に沿う方向）に間隔を隔てて、形成されている。この実施例では、ＬＥＤモジュール１４の長手方向の両端において、隣接する２つのフィン３０ａがそれらの自由端で一体化されていて、取付け部３２を形成する。
【００２７】
取付け部３２には、図では現れないねじ孔（雌ねじが形成された孔）が形成される。そのねじ孔を用いて、側面視「Ｌ」字状のアングル３４の一方辺部３４ａをビス３６によって、取付け部３２に取り付ける。Ｌ字状アングルの他方辺部３４ｂは、一方辺部３４ａに対して直角なので、ヒートシンク３０の放熱フィン３０ａや支持アングル２２の支持部２６と平行になる。
【００２８】
Ｌ字状アングル３４は、他方辺部３４ｂが支持部２６の内側面に接するように、支持部２６に固定される。そして、他方辺部３４ｂの、前述の支持部２６の透孔（図示せず）と重なる位置には、図では現れない透孔が形成される。つまり、支持部２６と他方辺部３４ｂには連通する透孔が形成される。
【００２９】
そして、支持部２６の表側から６角穴付ボルト３８を２つの透孔に通し、他方辺部３４ｂの裏側のナット４０に螺合させることによって、支持部２６にＬ字状アングル３４を取付ける。つまり、支持アングル２２とＬ字状アングル３４をボルト３８で共締めすることによって、灯具１２にＬＥＤモジュール１４を取付けることができる。
【００３０】
なお、ナット４０はＬ字状アングル３４の他方辺部３４ｂと別体であってもよいが、好ましくは、透孔（図示せず）との位置関係がずれないように、予め溶接などで、他方辺部３４ｂの裏面に一体化しておく。この場合は、ナット４０の位置を気にすることなく、ボルト３８を挿通すればよいので、施工し易いし、ボルト３８を緩めてもナット４０が脱落しない。
【００３１】
灯具１２は天井や梁に固定するので、灯具１２を固定してしまうと、ＬＥＤモジュール１４からの光の方向すなわち照明方向も固定されてしまう。そのため、灯具１２の取付け位置や取付け方向によっては、照明方向が必ずしも最適な方向にはならないことがある。そこで、この実施例では、ボルト３８を多少緩めれば、このボルト３８を中心にＬ字状アングル３４が回動できるようになり、そのため、ＬＥＤモジュール１４の取付け角度を矢印Ａ方向に変更できるようにしている。
【００３２】
この実施例の照明装置１０では光源としてＬＥＤモジュール１４を用いるので、ハロゲンランプのような従来の工場照明に比べて、取り扱いが簡単で、照射方向を変更するための角度変更機構が簡単な構成で済む。
【００３３】
しかしながら、ただボルト３８を緩めてもＬＥＤモジュール１４の取付け角度がどの程度になるのかは分かりにくい。
【００３４】
そこで、この実施例では、他方辺部３４ｂの表側の面に角度表示部４２を形成する。角度表示部４２は、この実施例では、他方辺部３４ｂの表側の面に、ポンチ（工具）で刻印している。ただし、角度表示部４２はポンチによる刻印の他、着色による表示など、他の方法で表示することができる。
【００３５】
特に図２からよくわかるように、角度表示部４２は、基準位置（ホームポジション）を示す４つのドットを一直線に並べた目盛Ｍ１を有する。
【００３６】
角度表示部４２はさらに。基準位置目盛Ｍ１の次に、Ｌ字状アングル３４をボルト３８を中心として矢印Ａ方向に１０度回動させたとき、支持部２６の先端（尖端）２６ａが指す位置に形成される、１つのドットで表される目盛Ｍ２を有する。目盛Ｍ２の次には、Ｌ字状アングル３４をボルト３８を中心として矢印Ａ方向にさらに１０度回動させたとき、支持部２６の先端（尖端）２６ａが指す位置に、２つのドットで表される目盛Ｍ３が形成される。目盛Ｍ３の次には、Ｌ字状アングル３４をボルト３８を中心として矢印Ａ方向に１０度回動させたとき、支持部２６の先端（尖端）２６ａが指す位置に、１つのドットで表される目盛Ｍ２が形成される。
【００３７】
このように、角度表示部４２は、基準位置を示す目盛Ｍ１と、その目盛Ｍ１から１０度ずつ回動した位置を示す３つの目盛Ｍ２‐Ｍ４を有する。したがって、ボルト３８を緩めた状態で、支持部２６の先端２６ａを所望の角度位置に相当する目盛Ｍ１‐Ｍ４のいずれかに合わせ、ボルト３８を再締着することによって、図３（Ａ）に示す角度位置と図３（Ｂ）に示す角度位置との間の任意の取付け角度で、ＬＥＤモジュール１４を固定することができる。
【００３８】
ただし、図３（Ａ）は、先端２６ａを目盛Ｍ１に合わせた状態すなわちＬＥＤモジュール１４を基準位置に設定した状態を示し、図３（Ｂ）は、先端２６ａを目盛Ｍ４に合わせた状態すなわちＬＥＤモジュール１４を基準位置プラス３０度（＋３０）すなわち最大可変角度に設定した状態を示す。この実施例の照明装置１０によれば、ＬＥＤモジュール１４の灯具１２に対する取付け角度を変更することによって、ＬＥＤモジュール１４の照射方向を変更することができる。
【００３９】
このように、この実施例の照明装置１０では、支持部２６とＬ字状アングル３４（他方辺部３４ｂ）とを締緩可能なボルト３８およびナット４０で接続することによって、ＬＥＤモジュール１４を灯具１２に対する相対角度すなわち取付け角度変更可能に取付けた。したがって、支持部２６とＬ字状アングル３４（他方辺部３４ｂ）を共締めするボルト３８およびナット４０などが角度変更機構として機能する。つまり、光源としてのＬＥＤモジュール１４が角度変更機構を介して灯具１２に取り付けられる。そのため、灯具１２が工場内などの設置場所に固定的に取付けられたとしても、つまり、灯具１２を取り付けたままでも、ＬＥＤモジュール１４の照射方向を変更することができる。
【００４０】
上述の実施例の照明装置１０では、たとえば工場のように建屋が振動したとしても締緩可能なボルト３８およびナット４０によって角度変更後の角度位置を確実に保持することができるので、好ましいが、角度変更機構としては別の構造、たとえば凹凸の組み合わせによる「クリックストップ」のようなものを採用することもできる。
【符号の説明】
【００４１】
１０  …照明装置
１２  …灯具
１４  …ＬＥＤモジュール
１８、２０  …側板
１８ａ、２０ａ  …取付け板
１８ｂ、２０ｂ  …透孔
２１  …電源回路
２２  …Ｕ字状アングル
２４  …平板部
２６  …支持部
２６ａ  …先端（尖端）
２８  …ＬＥＤアレイ
３０  …ヒートシンク
３２  …取付け部
３２ａ  …放熱フィン
３４  Ｌ字状アングル
３４ａ  …一方辺部
３４ｂ  他方辺部
３６  …ビス
３８  ６角穴付ボルト
４０  …ナット
４２  …角度表示部
【図１】
0003218877.tif 000003
【図２】
0003218877.tif 000004
【図３】
0003218877.tif 000005
【手続補正書】
【提出日】平成30年9月13日(2018.9.13)
【手続補正１】
【補正対象書類名】実用新案登録請求の範囲
【補正対象項目名】全文
【補正方法】変更
【補正の内容】
【実用新案登録請求の範囲】
【請求項１】
設置場所に固定的に取り付けられる灯具、
角度変更機構、および
前記角度変更機構を介して前記灯具に支持される光源を備え、
前記角度変更機構によって前記光源の前記灯具に対する取付け角度を変更したとき前記光源の照射方向が変更される、照明装置。
【請求項２】
前記灯具に設けられる支持部と前記光源と一体的に設けられるアングルによって前記光源が前記灯具に支持され、前記角度変更機構は前記支持部と前記アングルを共締めするボルトおよびナットを含む、請求項１記載の照明装置。
【請求項３】
前記光源は、ＬＥＤモジュールと前記ＬＥＤモジュールからの発熱を放散するヒートシンクを含み、前記ヒートシンクは間隔を隔てて形成された複数のフィンを有し、前記光源は、隣接している前記フィンの自由端を一体化した取付け部を介して前記アングルに取り付けられる、請求項２記載の照明装置。